(57)【特許請求の範囲】
【請求項１】
取付部材の孔部の一面側に係止される係止部を有する支持部材と、この支持部材と一体に設けられ前記孔部の他面側に密着するシール部を有するシール部材とを備えたグロメットであって、
前記シール部材は、前記支持部材と一体に設けられた基部と、この基部と前記孔部に対する前記支持部材の挿入方向に揺動支点を介して揺動可能に設けられた揺動部とを有し、
前記シール部は、前記揺動部の一端に設けられ前記孔部の他面側に密着する第１リップ部と、前記揺動部の他端に設けられ前記孔部の他面側に密着する第２リップ部とを有し、
前記第１リップ部と前記第２リップ部とのうちいずれか一方は、前記支持部材を前記孔部に挿入したときに前記孔部の他面側に当接して前記揺動部を揺動させ、前記係止部が前記孔部の一面側に係止されたときに、他方を前記孔部の他面側に当接させることを特徴とするグロメット。
【請求項２】
請求項１記載のグロメットであって、
前記第１リップ部と前記第２リップ部とのうちいずれか一方は、前記揺動部の前記孔部に対する外径側に位置されていることを特徴とするグロメット。
【請求項３】
請求項１又は２記載のグロメットであって、
前記第１リップ部と前記第２リップ部とは、前記孔部に対する周方向に連続して設けられていることを特徴とするグロメット。
【発明の詳細な説明】
【技術分野】
【０００１】
本発明は、グロメットに関する。
【背景技術】
【０００２】
従来、グロメットとしては、取付部材の孔部の一面側に係止される係止部を有する支持部材と、この支持部材と一体に設けられ孔部の他面側に密着するシール部を有するシール部材とを備えたものが知られている（例えば、特許文献１参照）。
【０００３】
このグロメットでは、シール部材のシール部が、孔部に対して内外二重となるように、外側シールリップと、内側シールリップとを有する。
【０００４】
このようなグロメットは、取付部材の孔部に支持部材を挿通することにより、支持部材の係止部が孔部の一面側に係止され、シール部材の外側シールリップと内側シールリップとが孔部の他面側に密着される。
【０００５】
このようにグロメットを取付部材の孔部に取り付けることにより、取付部材の孔部から取付部材の内部に水などの侵入が防止され、シール部を２つのシールリップとすることにより、防水性が向上されている。
【先行技術文献】
【特許文献】
【０００６】
【特許文献１】特開２０１５−３３１８５号公報
【発明の概要】
【発明が解決しようとする課題】
【０００７】
ところで、上記特許文献１のようなグロメットでは、支持部材を取付部材の孔部に取り付けるときに、係止部を孔部に係止させる力の他に、２つのリップ部を拡開させて孔部の他面側に密着させる力が必要となる。
【０００８】
このため、上記特許文献１のように２つのリップ部を有するグロメットでは、１つのリップ部を有するグロメットに比較して、取付部材の孔部に対する大きな挿入力が必要であり、場合によっては係止部の係止が不完全になるなど、取付作業性が低下していた。
【０００９】
そこで、この発明は、防水性を向上することができ、取付作業性を向上することができるグロメットの提供を目的としている。
【課題を解決するための手段】
【００１０】
請求項１記載の発明は、取付部材の孔部の一面側に係止される係止部を有する支持部材と、この支持部材と一体に設けられ前記孔部の他面側に密着するシール部を有するシール部材とを備えたグロメットであって、前記シール部材は、前記支持部材と一体に設けられた基部と、この基部と前記孔部に対する前記支持部材の挿入方向に揺動支点を介して揺動可能に設けられた揺動部とを有し、前記シール部は、前記揺動部の一端に設けられ前記孔部の他面側に密着する第１リップ部と、前記揺動部の他端に設けられ前記孔部の他面側に密着する第２リップ部とを有し、前記第１リップ部と前記第２リップ部とのうちいずれか一方は、前記支持部材を前記孔部に挿入したときに前記孔部の他面側に当接して前記揺動部を揺動させ、前記係止部が前記孔部の一面側に係止されたときに、他方を前記孔部の他面側に当接させることを特徴とする。
【００１１】
このグロメットでは、シール部が、揺動部の一端に設けられ孔部の他面側に密着する第１リップ部と、揺動部の他端に設けられ孔部の他面側に密着する第２リップ部とを有するので、取付部材に対して第１リップ部と第２リップ部とで防水することができ、防水性を向上することができる。
【００１２】
また、第１リップ部と第２リップ部とのうちいずれか一方は、支持部材を孔部に挿入したときに孔部の他面側に当接して揺動部を揺動させ、他方を孔部の他面側に当接させるので、取付部材の孔部に対する挿入力を、係止部を係止させる力と、一方のリップ部を孔部の他面側に密着させる力とに低減することができ、取付作業性を向上することができる。
【００１３】
従って、このようなグロメットでは、防水性を向上することができ、取付作業性を向上することができる。
【００１４】
請求項２記載の発明は、請求項１記載のグロメットであって、前記第１リップ部と前記第２リップ部とのうちいずれか一方は、前記揺動部の前記孔部に対する外径側に位置されていることを特徴とする。
【００１５】
このグロメットでは、第１リップ部と第２リップ部とのうちいずれか一方が、揺動部の孔部に対する外径側に位置されているので、一方のリップ部によって他方のリップ部を覆うことができ、外力などによる他方のリップ部の損傷を防止して防水性を保持することができる。
【００１６】
請求項３記載の発明は、請求項１又は２記載のグロメットであって、前記第１リップ部と前記第２リップ部とは、前記孔部に対する周方向に連続して設けられていることを特徴とする。
【００１７】
このグロメットでは、第１リップ部と第２リップ部とが、孔部に対する周方向に連続して設けられているので、第１リップ部と第２リップ部とが孔部の他面側に対して吸盤のように密着し、防水性を向上することができる。
【００１８】
加えて、一方のリップ部が損傷したとしても、他方のリップ部によって防水性を保持することができる。
【発明の効果】
【００１９】
本発明によれば、防水性を向上することができ、取付作業性を向上することができるグロメットを提供することができるという効果を奏する。
【図面の簡単な説明】
【００２０】
【図１】本発明の実施の形態に係るグロメットが適用されたプロテクタの斜視図である。
【図２】本発明の実施の形態に係るグロメットが適用されたプロテクタの正面図である。
【図３】本発明の実施の形態に係るグロメットの断面図である。
【図４】本発明の実施の形態に係るグロメットの要部拡大断面図である。
【発明を実施するための形態】
【００２１】
図１〜図４を用いて本発明の実施の形態に係るグロメットについて説明する。
【００２２】
本実施の形態に係るグロメット１は、取付部材３の孔部５の一面側に係止される係止部７を有する支持部材９と、この支持部材９と一体に設けられ孔部５の他面側に密着するシール部１１を有するシール部材１３とを備えている。
【００２３】
また、シール部材１３は、支持部材９と一体に設けられた基部１５と、この基部１５と孔部５に対する支持部材９の挿入方向に揺動支点１７を介して揺動可能に設けられた揺動部１９とを有する。
【００２４】
さらに、シール部１１は、揺動部１９の一端に設けられ孔部５の他面側に密着する第１リップ部２１と、揺動部１９の他端に設けられ孔部５の他面側に密着する第２リップ部２３とを有する。
【００２５】
そして、第１リップ部２１は、支持部材９を孔部５に挿入したときに孔部５の他面側に当接して揺動部１９を揺動させ、第２リップ部２３を孔部５の他面側に当接させる。
【００２６】
また、第１リップ部２１は、揺動部１９の孔部５に対する外径側に位置されている。
【００２７】
さらに、第１リップ部２１と第２リップ部２３とは、孔部５に対する周方向に連続して設けられている。
【００２８】
ここで、図１，図２に示すように、本実施の形態に係るグロメット１は、例えば、取付部材３（図４参照）としての車体（不図示）とドア（不図示）とにそれぞれ設けられた回路などを接続する電線１０３（図３参照）を覆うプロテクタ１０１の両端側にそれぞれ設けられている。
【００２９】
このプロテクタ１０１は、ドアの開閉に応じて撓み可能に設けられ、車体とドアとの間を接続する電線１０３の外周を覆い、電線１０３を保護している。
【００３０】
このようなプロテクタ１０１の両端側には、それぞれグロメット１，１が一体に設けられ、それぞれのグロメット１，１を取付部材３としての車体とドアとに設けられた孔部５に取り付けることにより、車体やドアの内部が防水される。
【００３１】
以下、図１〜図４を用いてグロメット１の詳細について説明する。
【００３２】
図１〜図４に示すように、グロメット１は、車体やドアなどの取付部材３の孔部５に取り付けられ、支持部材９と、シール部材１３とを備えている。
【００３３】
支持部材９は、合成樹脂などの絶縁性材料からなり、外形形状が楕円状に形成され、プロテクタ１０１の端部にプロテクタ１０１と一体に設けられている。
【００３４】
この支持部材９は、中央部に電線１０３が挿通され、取付部材３の孔部５に挿入されることにより、係止部７を介して取付部材３に係止される。
【００３５】
係止部７は、支持部材９の周方向に複数（ここでは４つ）撓み可能に設けられ、自由端側に係止爪２５が突設されている。
【００３６】
この係止部７は、支持部材９を取付部材３の孔部５に挿入することにより、係止爪２５が孔部５の縁部と当接して撓まされ、支持部材９を取付部材３の孔部５に完全に挿入することによって復元し、係止爪２５が孔部５の縁部の一面側に係止される。
【００３７】
このように係止部７を取付部材３の孔部５の縁部に係止させることにより、支持部材９が取付部材３に係止され、グロメット１が取付部材３に取り付けられる。
【００３８】
このような支持部材９には、シール部材１３が一体に設けられている。
【００３９】
シール部材１３は、合成ゴムなどの弾性材料からなり、支持部材９のプロテクタ１０１側、すなわち取付部材３の外部側に支持部材９と一体に設けられ、基部１５と、揺動部１９と、シール部１１とを備えている。
【００４０】
基部１５は、楕円形状の環状に形成されて支持部材９と一体に設けられ、中央部に電線１０３が挿通されている。
【００４１】
この基部１５の外周側には、揺動部１９が一体に設けられている。
【００４２】
揺動部１９は、基部１５の外周に対して揺動支点１７を介して基部１５と連続する一部材で楕円形状に形成され、支持部材９の取付部材３の孔部５に対する挿入方向に揺動可能に設けられている。
【００４３】
ここで、揺動支点１７は、基部１５の内径側に切欠部２７が設けられて薄肉状に形成され、揺動部１９の外径側と内径側とを、支持部材９の取付部材３の孔部５に対する挿入方向に揺動可能にしている。
【００４４】
この揺動部１９は、自由状態で、外径側の端部が係止部７の係止爪２５と対向するように位置され、内径側の端部が外径側よりプロテクタ１０１側、すなわち取付部材３の外部側に位置するように傾斜されている。
【００４５】
このような揺動部１９の端部には、シール部１１が設けられている。
【００４６】
シール部１１は、揺動部１９の外径と内径との両端部にそれぞれ揺動部１９と連続する一部材で楕円形状に形成された第１リップ部２１と、第２リップ部２３とを備えている。
【００４７】
第１リップ部２１は、揺動部１９の外径に位置され、揺動部１９の自由状態で、係止部７の係止爪２５と対向して配置されている。
【００４８】
この第１リップ部２１は、係止部７が取付部材３の孔部５の一面側に係止した状態で、孔部５の他面側に密着して配置され、取付部材３の内部と外部とを区画し、取付部材３の内部を防水する。
【００４９】
このような第１リップ部２１は、楕円形状となるように、孔部５に対する周方向に連続して設けられているので、孔部５の他面側に対して吸盤のように密着し、防水性が向上されている。
【００５０】
第２リップ部２３は、揺動部１９の内径に位置され、揺動部１９の自由状態で、第１リップ部２１より取付部材３の外部側に配置され、第１リップ部２１によって覆われた状態となっている。
【００５１】
このように第２リップ部２３を第１リップ部２１によって覆うことにより、グロメット１を取付部材３に取り付ける前の状態で、第２リップ部２３の露出を抑制して保護することができ、周辺部材との干渉による外力などによって第２リップ部２３が損傷することを防止できる。
【００５２】
この第２リップ部２３は、支持部材９を取付部材３の孔部５に挿入するとき、第１リップ部２１と孔部５の他面側との当接によって揺動部１９が揺動支点１７を介して揺動され、孔部５の他面側に密着し、取付部材３の内部と外部とを区画して取付部材３の内部を防水する。
【００５３】
このように第１リップ部２１と共に第２リップ部２３によって取付部材３の内部を防水することにより、取付部材３の孔部５の外径側で二重に防水することができ、防水性を向上することができる。
【００５４】
また、第１リップ部２１と孔部５の他面側との当接によって揺動部１９を揺動させて第２リップ部２３を孔部５の他面側に当接させることにより、グロメット１を取付部材３に取り付けるときに、第１リップ部２１と第２リップ部２３とを同時に拡開させるような挿入力が加わることがなく、挿入力を低減することができる。
【００５５】
さらに、第２リップ部２３は、第１リップ部２１と同様に、楕円形状となるように、孔部５に対する周方向に連続して設けられているので、孔部５の他面側に対して吸盤のように密着し、さらに防水性が向上されている。
【００５６】
このように構成されたグロメット１の取付部材３に対する取付は、支持部材９を取付部材３の孔部５に挿入し、係止部７を孔部５の縁部によって撓ませる。
【００５７】
このとき、第１リップ部２１と孔部５の他面側とが当接され、第１リップ部２１が孔部５の他面側に密着しつつ、揺動部１９が揺動支点１７を介して揺動を開始する。
【００５８】
そして、さらに支持部材９を取付部材３の孔部５に挿入し、係止部７の復元によって係止爪２５が孔部５の縁部の一面側に係止され、グロメット１が取付部材３に取り付けられる。
【００５９】
このとき、揺動部１９の揺動が完了され、第２リップ部２３が孔部５の他面側に密着し、第１リップ部２１と第２リップ部２３とによって取付部材３の内部が防水される。
【００６０】
このように第１リップ部２１と第２リップ部２３との孔部５の他面側に対する密着のタイミングを異ならせることにより、取付部材３に対するグロメット１の挿入力を低減することができる。
【００６１】
このため、大きな挿入力を必要とする場合の係止部７の不完全な係止などを防止することができ、取付部材３に対するグロメット１の取付作業性を向上することができる。
【００６２】
このようなグロメット１では、シール部１１が、揺動部１９の一端に設けられ孔部５の他面側に密着する第１リップ部２１と、揺動部１９の他端に設けられ孔部５の他面側に密着する第２リップ部２３とを有するので、取付部材３に対して第１リップ部２１と第２リップ部２３とで防水することができ、防水性を向上することができる。
【００６３】
また、第１リップ部２１は、支持部材９を孔部５に挿入したときに孔部５の他面側に当接して揺動部１９を揺動させ、第２リップ部２３を孔部５の他面側に当接させるので、取付部材３の孔部５に対する挿入力を、係止部７を係止させる力と、第１リップ部２１を孔部５の他面側に密着させる力とに低減することができ、取付作業性を向上することができる。
【００６４】
従って、このようなグロメット１では、防水性を向上することができ、取付作業性を向上することができる。
【００６５】
また、第１リップ部２１は、揺動部１９の孔部５に対する外径側に位置されているので、第１リップ部２１によって第２リップ部２３を覆うことができ、外力などによる第２リップ部２３の損傷を防止して防水性を保持することができる。
【００６６】
さらに、第１リップ部２１と第２リップ部２３とは、孔部５に対する周方向に連続して設けられているので、第１リップ部２１と第２リップ部２３とが孔部５の他面側に対して吸盤のように密着し、防水性を向上することができる。
【００６７】
加えて、一方のリップ部が損傷したとしても、他方のリップ部によって防水性を保持することができる。
【００６８】
なお、本発明の実施の形態に係るグロメットでは、揺動部の外径側に位置する第１リップ部が揺動部を揺動させているが、これに限らず、揺動部の内径側に位置する第２リップ部が揺動部を揺動させて第１リップ部を孔部の他面側に密着させるようにしてもよい。
【符号の説明】
【００６９】
１…グロメット
３…取付部材
５…孔部
７…係止部
９…支持部材
１１…シール部
１３…シール部材
１５…基部
１７…揺動支点
１９…揺動部
２１…第１リップ部
２３…第２リップ部
【図１】
0006778517.tif 000002
【図２】
0006778517.tif 000003
【図３】
0006778517.tif 000004
【図４】
0006778517.tif 000005